(57)【要約】【課題】顧客へ電子メールでＨＰの更新通知をする場合に、単なる通知だけでなく、ＨＰの更新内容も通知するようにし、ＨＰへのアクセスを不要にすること。【解決手段】顧客端末１１と、ＨＰ（ホームページ）更新通知業者２のＨＰ更新監視サーバ２１と、ＨＰ開設者３の端末３１とが通信回線５を介して情報を送受信するシステムにおいて、ＨＰ更新監視サーバ２１は、予め顧客端末１１より申込まれ、締結したＨＰ更新通知に関する契約内容及び指定のＨＰのＵＲＬと顧客の電子メールアドレスを受信して記憶装置に格納しておき、ＨＰの内容が更新されているか否かを監視して、該ＨＰの内容が更新されていることを検出した場合は、上記記憶装置に格納されている顧客１との契約内容に従い、顧客端末１１に更新内容、及び広告主４との契約内容に従い広告内容を電子メールで通知するようにする。【選択図】　　　　図１
2004145426.tif 000002
【特許請求の範囲】
【請求項１】
顧客端末と、ＨＰ（ホームページ）更新通知業者のＨＰ更新監視サーバと、ＨＰ開設者端末とが通信回線を介して情報を送受信するシステムにおいて、
ＨＰ更新監視サーバは、
予め顧客端末より申込まれ、締結したＨＰ更新通知に関する契約内容及び指定のＨＰのＵＲＬ（ユーアルエル、Ｕｎｉｆｏｒｍ　Ｒｅｓｏｕｒｃｅ　Ｌｏｃａｔｏｒ）と顧客の電子メールアドレスを受信して記憶装置に格納しておき、
ＨＰの内容が更新されているか否かを監視して、
該当ＨＰの内容が更新されていることを検出した場合は、上記記憶装置に格納されている顧客との契約内容に従い、顧客端末に更新内容を電子メールで通知する、
ことを特徴とするホームページ更新通知サービスシステム。
【請求項２】
請求項１記載のホームページ更新通知サービスシステムにおいて、
広告主端末が通信回線を介して情報を送受信可能に上記システムに接続され、ＨＰ更新監視サーバは、
予め広告主端末より申込まれ、締結したＨＰ更新通知の電子メールに載せる広告に関する契約内容を受信して、その契約内容を記憶装置に格納しておく、
ことを特徴とするホームページ更新通知サービスシステム。
【請求項３】
請求項１記載のホームページ更新通知サービスシステムにおいて、
上記ＨＰ更新通知に関する契約内容には、希望するＨＰの参照ページの指定、ページ参照の時間帯の指定、ページ参照時間間隔の指定、リンク階層指定、キーワード指定、画像検知指定、特定ページの特定画像検知指定、階層構造の変化検知指定等を含み、
ＨＰ更新監視サーバは、この契約内容を記憶装置に格納しておく、
ことを特徴とするホームページ更新通知サービスシステム。
【請求項４】
請求項１乃至請求項３記載のいずれか１項に記載のホームページ更新通知サービスシステムにおいて、ＨＰ更新監視サーバは、
顧客が指定したタイミング（時間帯又は時間間隔）で指定したＨＰをチェックし、更新されていることを検出した場合は、上記記憶装置に格納されている顧客との契約内容に従い、少なくとも更新部分の内容を顧客端末に電子メールで通知する、
ことを特徴とするホームページ更新通知サービスシステム。
【請求項５】
請求項１乃至請求項４記載のいずれか１項に記載のホームページ更新通知サービスシステムにおいて、ＨＰ更新監視サーバは、
顧客端末に通知する情報として、上記記憶装置に格納されている広告主との契約内容に従い、ＨＰ更新内容に広告内容を付加して電子メールで送信する、
ことを特徴とするホームページ更新通知サービスシステム。
【発明の詳細な説明】
【０００１】
【発明の属する技術分野】
本発明は、インタネット上のホームページの更新通知サービスシステムに関する。
【０００２】
【従来の技術】
インタネット上のＨＰ（ホームページ）は不定期にその内容が更新されるが、顧客（ユーザ）がその更新状況を把握するには無駄な時間と労力を費やすことになるので、指定したＨＰの更新があった場合にそれを顧客に電子メールで通知するサービスが種々提供されている。
しかしこれらは、指定したＨＰに更新があったことを通知するだけであり、更新内容を知るには、顧客は電子メールにより更新通知を受ける度に、ＨＰにアクセスする必要がある。
【０００３】
【発明が解決しようとする課題】
本発明は、単にＨＰに更新があったことを通知するだけでなく、電子メールでＨＰの更新内容を通知するようにし、顧客が電子メールにより更新通知を受ける度に、ＨＰにアクセスする必要がないようにすることを目的とする。
【０００４】
【課題を解決するための手段】
上記目的を達成するために、本発明のホームページ更新通知サービスシステムは、顧客端末１１と、ＨＰ（ホームページ）更新通知業者２のＨＰ更新監視サーバ２１と、ＨＰ開設者３の端末３１とが通信回線５を介して情報を送受信するシステムにおいて、ＨＰ更新監視サーバ２１は、予め顧客端末１１より申込まれ、締結したＨＰ更新通知に関する契約内容及び指定のＨＰのＵＲＬ（ユーアルエル、Ｕｎｉｆｏｒｍ　Ｒｅｓｏｕｒｃｅ　Ｌｏｃａｔｏｒ）と顧客の電子メールアドレスを受信して記憶装置に格納しておき、ＨＰの内容が更新（変更、追加、削除）されているか否かを監視して、該当ＨＰの内容が更新されていることを検出した場合は、上記記憶装置に格納されている顧客との契約内容に従い、顧客端末１１に更新内容を電子メールで通知するようにする。
【０００５】
また、広告主４の端末４１が通信回線５を介して情報を送受信可能に上記システムに接続され、ＨＰ更新監視サーバ２１は、予め広告主端末４１より申込まれ、締結したＨＰ更新通知の電子メールに載せる広告に関する契約内容を受信して、その契約内容を記憶装置に格納しておくようにする。
【０００６】
さらに、ＨＰ更新監視サーバ２１は、顧客が指定したタイミング（時間帯又は時間間隔）で指定したＨＰをチェックし、更新されていることを検出した場合は、上記記憶装置に格納されている顧客１との契約内容に従い、少なくとも更新部分の内容を顧客端末に電子メールで通知するようにする。
さらにまた、ＨＰ更新監視サーバ２１は、顧客端末１１に通知する情報として、上記記憶装置に格納されている広告主４との契約内容に従い、ＨＰ更新内容に広告内容を付加して電子メールで送信するようにする。
【０００７】
【発明の実施の形態】
本発明の実施の形態を実施例にもとづき図面を参照して説明する。
図１はホームページ更新通知システムの概念図を示す。
図において、１はＰＣ（パソコン）、携帯電話機等の端末１１を備えた顧客（ユーザ）、２はＨＰ更新監視サーバ２１を備えたＨＰ（ホームページ）更新通知業者、３は端末３１、サーバ３２を備えたＨＰ開設者（Ａ，Ｂ，Ｃ等）、４は端末４１、サーバ４２を備えた広告主であり、これらの顧客端末１１とＨＰ更新監視サーバ２１とＨＰ開設者端末３１と広告主端末４３とは通信回線５を介して情報を送受信する。
【０００８】
ＨＰ更新通知業者２は、顧客（ユーザ）１及び広告主４と端末を利用して予め後述のような契約を結び、その契約内容はＨＰ更新監視サーバ２１の記憶装置に格納されている。
ＨＰ更新監視サーバ２１は、ＨＰの内容が更新（変更、追加、削除等）されているか否かを監視する機能を有し、上記記憶装置に格納されている顧客１との契約内容に従い、顧客１が指定したＨＰの内容をチェックして、ＨＰの内容が更新されていることを検出した場合には、更新の内容に広告内容を付加して、顧客端末１１に電子メールで送信（通知）する。
【０００９】
顧客１は端末１１でこの電子メールを見ることにより、該当ＨＰにアクセスすることなく、ＨＰが更新されたことを知ると同時に、更新内容と広告内容を知ることができる。
ＨＰ更新監視サーバ２１によるＨＰの内容が更新されているか否かのチェックは、顧客１が指定したＨＰにアクセスして、その記述内容を記憶装置に保存（格納、記憶）し、その際前回のアクセス時に保存（格納、記憶）した該ＨＰの記述内容と比較することにより行うことができる。
【００１０】
図２はＨＰ更新通知業者２と広告主４及び顧客１とが、契約を結ぶ場合の処理のフロー図を示す。
ステップＳ２０で処理がスタートし、ステップＳ２１でＨＰ更新通知業者２と広告主４とは、顧客１への更新通知メールに付加して送信する広告に関しての契約を結び、その契約内容はステップＳ２２でＨＰ更新監視サーバ２１の記憶装置に格納される。ステップＳ２３でＨＰ更新通知業者２と顧客１とは更新通知メールの配信に関して契約を結び、その契約内容はステップＳ２４でＨＰ更新監視サーバ２１の記憶装置に格納され、ステップＳ２５で処理を終了する。
【００１１】
ＨＰの更新通知を希望する者（顧客１）は、端末１１を利用してＨＰ更新監視サーバ２１にＨＰ更新通知に関する契約の申込をするが、その際所望のＨＰのＵＲＬ（ユーアルエル、Ｕｎｉｆｏｒｍ　Ｒｅｓｏｕｒｃｅ　Ｌｏｃａｔｏｒ）及び自身の電子メールアドレスを送信し、ＨＰ更新監視サーバ２１はこれらを受信して記憶装置に格納（登録）する。合わせて両者間で次に示すような項目についての契約が結ばれ、契約内容として記憶装置に登録（格納、記憶）されて、以後この契約内容に従って、ＨＰ更新監視サーバ２１から顧客端末１１に対してＨＰ更新通知が電子メールにより行われることになる。
【００１２】
顧客１が所望のＨＰについてＨＰ更新通知業者２と結ぶ契約内容として、次のような項目がある。
（１）参照ページの指定（更新部分のみの通知か、指定ページ全体の通知かを指定する。）
（２）ページ参照時間帯の指定
（３）ページ参照時間間隔の指定
【００１３】
（４）リンク階層指定
（５）キーワード指定
（６）画像検知指定
（７）特定ページの特定画像検知指定
（８）階層構造の変化検知指定
【００１４】
図３はホームページ更新通知システムによりＨＰ更新通知を実行する場合の処理のフロー図を示す。
ステップＳ３０で処理がスタートし、ＨＰ更新監視サーバ２１は、ステップＳ３１で顧客が指定したタイミング（ページ参照時間間隔）で指定したページを記憶装置に取込み保存（格納、記憶）する。ステップＳ３２で指定された条件に従い、前回保存したページの内容と比較して、更新（変更）があるか否かをチェックする。ステップＳ３３で更新（変更）があったと判断される場合には、ステップＳ３４で更新（変更）されたページの更新（変更）部分若しくはページ全体を、指定に従い電子メールで送信（通知）するが、この際同時にステップＳ３５のように広告主と契約した広告内容も電子メールに付加して送信する。ステップＳ３３で更新（変更）がないと判断された場合及びステップＳ３５の後ステップＳ３１へ戻り、次の指定されたタイミングで上記と同様の処理を繰り返す。
【００１５】
【発明の効果】
本発明によれば、指定したＨＰの更新内容が電子メールにより顧客へ通知されるので、これにより顧客はＨＰが更新されたことを知ると同時に、電子メールの内容を読むだけで更新内容を知ることができ、実際に該ＨＰにアクセスする必要がなく、また必要に応じて付加されている広告内容を見ることもできる。
また電子メールによってＨＰの更新内容を知ることができるので、外出先等のＰＣがないところでも、携帯電話機等のモバイル端末で受取ることができる。
さらにＨＰの更新チェックは、指定のタイミングで自動的に行われるので、手作業によりチェックする場合のようなチェック漏れを防ぐことができる。
【図面の簡単な説明】
【図１】ホームページ更新通知システムの概念図である。
【図２】ＨＰ更新通知業者と広告主及び顧客とが、契約を結ぶ場合の処理のフロー図である。
【図３】ホームページ更新通知システムによりＨＰ更新通知を実行する場合の処理のフロー図である。
【符号の説明】
１　顧客（ユーザ）
２　ＨＰ（ホームページ）更新通知業者
３　ＨＰ開設者
４　広告主
５　通信回線
１１、３１、４１　端末
２１　ＨＰ更新監視サーバ
３２、４２　サーバ
【図１】
2004145426.tif 000003
【図２】
2004145426.tif 000004
【図３】
2004145426.tif 000005